(57)【要約】【課題】バックルとこれに引っ掛ける尾錠金物をベルト端部に取付けてある腰ベルトであって、尾錠金物をベルト端部から簡単に取り外せる構造とする。【解決手段】尾錠金物５はベルト２の端部を差し込むスリット１３を備え、これらを表裏方向に貫通し、尾錠金物５に対して着脱自在なピン体２１を備え、ピン体２１は、軸方向の移動固定と軸周りの回転が可能な軸金２２を備え、軸金２２の軸方向移動によって尾錠金物５との係合を解き、回転によって尾錠金物５との係合及び離脱を可能としてある。【選択図】図８
2010270414.tif 000002
【特許請求の範囲】
【請求項１】
ベルトとバックル及び尾錠金物を備え、ベルトの先端側に固定したバックルのフックにベルトの後端に固定した尾錠金物を引っ掛けて使用する腰ベルトであって、
尾錠金物は前記フックに対する係合部とベルトの端部を差し込むスリットを備え、
尾錠金物と尾錠金物のスリットに差し込まれたベルトの端部とを表裏方向に貫通し、尾錠金物に対して着脱自在なピン体を備え、ピン体は、軸方向の移動固定と軸周りの回転が可能な軸金を備え、軸金の軸方向移動によって尾錠金物との係合を解き、回転によって尾錠金物との係合及び離脱を可能としてあることを特徴とした腰ベルト。
【請求項２】
ピン体は、同軸に配置される軸金とコイルばね及び座金とで構成され、軸金は軸部とその先端に左右に突出した係合部を有するＴ字形部とからなり、軸部にコイルばねを嵌め、軸部に座金を嵌め、ついで、軸部の先端をカシメて軸金に座金とコイルばねを取付けてあり、
一方、尾錠金物においてスリットを形成している表側の壁にＴ字形部とコイルばねが貫通できる孔とこれより大きな半径で座金が嵌入できる凹部を有する縁底付き孔が形成され、同裏側の壁には、表裏方向で前記縁付き孔と同軸に前記のＴ字形部が貫通する縦方向孔とその表面側にこれと直交した浅い横方向孔とが形成されており、
ベルト端部に形成した貫通孔にＴ字形部とコイルばねが貫通可能な円筒スペーサーを嵌めて尾錠金物の前記縁底付き孔と縦方向孔との軸に合せ、縁付き孔側から軸金とコイルスプリングを円筒のスペーサー内部に挿通して軸金のＴ字形部を縦方向孔から尾錠金物の裏側に押出し、ついで回転させて横方向孔に係合させ、この状態でコイルばねが圧縮され、座金が表側の壁の縁底付き孔へ一部嵌入され、座金と縁底との間にＴ字形部を横方向孔から押出すための空間を残した状態としてあることを特徴とした請求項１に記載の腰ベルト。
【発明の詳細な説明】
【技術分野】
【０００１】
本発明は、工事作業者、警察官、機動隊員などが腰回りに装着するベルトに関する。
【背景技術】
【０００２】
従来の腰ベルトの頑丈なものには、特許文献１のように、バックル（金物）に形成したフックにベルト尾端の尾錠金物（金物）を掛けて装着するものがある。すなわち、図１のように、従来の腰ベルト１は牛革など丈夫なベルト２に金属製のバックル３と尾錠金物５を備える。バックル３は表面板４の裏面右側に門形のガイド部６を、また、左側に挟持部７を備えている。ガイド部６はその先端側辺に２個のフック８を先端側へ突出して平行に備え、これに尾錠金物５が係合される。挟持部７は上下の軸支部９とその間に回動可能に軸支された挟持片１０とからなる。挟持片１０は、回動操作によってベルト２をバックル３の表面板４裏面との間で押圧し、その摩擦力でバックル３とベルト２を固定する。その構造と機能は周知である。尾錠金物５はベルト２の後端部にカシメにより固定され、前記のフック８と係合できる（図２）。この係合のための構造も特許文献１に開示されている。
【０００３】
ところで、使用できなくなった腰ベルトは廃棄に際して環境への配慮から、金属部分と革部分とを分別する必要がある。しかし、従来の腰ベルト１は、バックル３は簡単に外せても、尾錠金物５はベルト２へカシメ鋲１１により頑丈に固着されているため、ベルト２から取り外すのが容易ではない。
【先行技術文献】
【特許文献】
【０００４】
【特許文献１】実開平５−５８０１０号公報
【発明の概要】
【発明が解決しようとする課題】
【０００５】
尾錠金物を有する腰ベルトにおいて、ベルトと尾錠金物との分離を容易にする。
【課題を解決するための手段】
【０００６】
ベルトとバックル及び尾錠金物を備え、ベルトの先端側に固定したバックルのフックにベルトの後端に固定した尾錠金物を引っ掛けて使用する腰ベルトとし、ベルトと尾錠金物との取付けをカシメ鋲に変え着脱自在なピン体で行う。
【発明の効果】
【０００７】
尾錠金物にベルトが取付けられている状態において、尾錠金物に対するピン体の係合を解き、ピン体を抜き取ることで尾錠金物とベルト端部との取付けは分解されるから、ベルトと尾錠金物とを簡単に分別できる。
【図面の簡単な説明】
【０００８】
【図１】従来例の斜視図。
【図２】バックルと尾錠金物との引っ掛け状態を示す斜視図。
【図３】尾錠金物の裏面側と分解したピン体を示す斜視図（実施例）。
【図４】尾錠金物の表面側を示した斜視図。
【図５】軸金と縦方向孔との関係を示した拡大斜視図（一部断面）。
【図６】ピン体の組み立てと取付け状態を示した断面図、（イ）はカシメ前、（ロ）はカシメ後、（ハ）は取付け状態。
【図７】縁底付き孔とピン体との関係を示した斜視図。
【図８】ピン体の操作状態を説明する断面図、（イ）は操作前、（ロ）は軸方向移動、（ハ）は回転。
【発明を実施するための形態】
【０００９】
尾錠金物に対するベルトの取付けを、尾錠金物と尾錠金物のスリットに差し込まれたベルトの端部とを表裏方向に貫通する着自在なピン体で行う。ピン体は軸金とコイルスプリングを備え、軸金を軸方向に移動させると共に回転させることにより、ピン体と尾錠金物との係合を外せる構造とする。尾錠金物との係合を解いたピン体を抜き取り、ついで、尾錠金物のスリットからベルト端部を抜き取る。
【実施例１】
【００１０】
図３は、本願の発明による尾錠金物５とベルト２端部との取付け箇所を示している。他の構造は図１に示した従来の腰ベルト１と同じ構造であり、同じ部分には同じ符号を用いて説明を省略する。
【００１１】
尾錠金物５は左右方向寸法２５ｍｍ、上下方向寸法４２ｍｍ、表裏方向寸法９ｍｍの真鍮製であり、左（後端側）にバックル３のフック８に引っ掛ける係合部１２を有すると共に右（先端側）にスリット１３を有する。スリット１３は、右端面から左へ１４ｍｍの深さであると共に、表裏方向寸法が５．５ｍｍである。スリット１３は右端が開口し、上下方向には貫通した形態である。即ち、厚さ１．７５ｍｍの表側の壁１４と同裏側の壁１５とで形成されている（図３は裏面側が見えている）。
【００１２】
係合部１２の構造は従来例と同じであり、尾錠金物５の下面から下方へ突出している係合バー１６の突出部を押し込んでフック８に係合させ、押し込みを解除することでフック８からの抜け出しを防止して係合を完了する。
尾錠金物５の表側の壁１４には上下に２個の縁底付き孔１７，１７が形成され、裏側の壁１５（図４）には、縦方向孔１８と横方向孔１９は中央で直角に交差した十字形の孔・溝２０が上下に２個形成されている。縁底付き孔１７と十字形の孔・溝２０は、表裏方向に貫通する軸に沿って同軸に形成されている。縦方向孔１８と横方向孔１９の対の具体的構造は後に順次説明する。
【００１３】
符号２１はピン体であり、同軸に配置される軸金２２とコイルばね２３と座金２４および円筒スペーサー２５とで構成される。軸金２２は鋼製の頑丈なものであって、軸部２６とその先端に左右に突出した係合部２７を有するＴ字形部２８とからなる。Ｔ字形部２８は左右に係合部２７を突出して備えるにもかかわらず、縦方向孔１８を表裏方向に貫通することができる。つまり、縦方向孔１８の上下寸法と幅はＴ字形部２８よりも十分に大きい（図５）。また、横方向孔１９は中央部の縦方向孔１８と重なる部分だけ貫通しており、両側は段部２９となっている。つまり、縦方向孔１８を裏側へ貫通したＴ字形部２８が９０°回転されるとＴ字形部２８は縦方向孔１８を通り抜けることはできず、横方向孔１９の段部２９に係合する。
【００１４】
コイルばね２３も円筒スペーサー２５を貫通可能であり、また、後述の図６（ハ）のように、自由状態において円筒スペーサー２５の軸方向寸法よりも十分に長い。
座金２４は、この実施例において表側が盛り上がったなべ頭風で中央に軸金２２の軸部２６が貫通する孔３０と工具掛け部３１が形成されている（図７）。ここで縁底付き孔１７は、底部に座金２４よりも小さく、円筒スペーサー２５の内径と等しい挿通孔３２が形成されており、底部は縁底３３となっている。縁底付き孔１７の外側の大径部は座金２４を嵌入することができる大きさとなっている。
円筒スペーサー２５はステンレスの短円筒であり、その軸方向長さはスリット１３の表裏方向寸法と等しいかわずかに短い程度としてある。
【００１５】
ピン体２１は次のように組み付ける（図６）。軸金２２の軸部２６にコイルばね２３を嵌め、さらに軸部２６に座金２４を嵌める（図６イ）、ついで、座金２４から突出させた軸部２６の先端をカシメて座金２４に対する抜け止めとする。これにより、軸金２２に座金２４とコイルばね２３とが取付けられ、ピン体２１となる（図６ロ）。この状態でコイルばね２３は、この実施例において、軸金２２のＴ字形部２８との間で自由状態にある。ピン体２１は軸金２２を操作しない通常の状態で、図６（ハ）のように、Ｔ字形部２８を横方向孔１９の段部２９に接触させ、座金２４が表側の壁の縁底付き孔１７へ半嵌入された状態とされ、座金２４と縁底３３との間にＴ字形部２８を横方向孔１９から裏側へ押出し係合を解くことができる空間Ｓを残してある。コイルばね２３は、裏側の壁１５の内面と座金２４の裏面との間で軽く圧縮された状態となる。
【００１６】
尾錠金物５とベルト２端部との取付けは次のように行われる。
ベルト２端部に形成した貫通孔３４（図３）へ、円筒スペーサー２５を嵌める。貫通孔３４の位置は尾錠金物５における縁底付き孔１７の位置にあわせておく。ベルト２の端部を円筒スペーサー２５と共に尾錠金物５のスリット１３に差し込み、円筒スペーサー２５を前記縁底付き孔１７と縦方向孔１８との軸に合せ、縁底付き孔１７側からピン体２１を、Ｔ字形部２８を先頭として円筒スペーサー２５の内部に挿通する。さらに、座金２４を押してコイルばね２３を圧縮し、Ｔ字形部２８を縦方向孔１８からひとまず尾錠金物５の裏側に押出し、ついで回転させて横方向孔１９にＴ字形部２８を係合させ、軸方向の移動を固定する。このようにして結合された状態が図８イ（図６ハに同じ）である。
【００１７】
ベルト２端部の貫通孔３４に通したピン体２１は、尾錠金物５と確実に係合し、ベルト２にかかる引っ張り方向の力に耐える。このとき、ピン体２１は、軸金２２のＴ字形部２８が尾錠金物５の横方向孔１９に係合する一方、コイルばね２３が裏側の壁１５の内面を基に座金２４を外側に突っ張るので、ピン体２１がガタついたり、外れてしまったりすることがない。このため、腰ベルト１を安全に安定して使用することができる。この実施例では円筒スペーサー２５を利用し、貫通孔３４の箇所でベルト２に作用する負荷を分散させるので耐久性も高い。
【００１８】
ベルト２端部に尾錠金物５を取付けた状態（図８イ）から、尾錠金物５を分離するには、まず、座金２４と共に軸金２２を座金２４の下面が縁底付き孔１７の縁底３２まで空間Ｓ分を押し込み、軸金２２先端のＴ字形部２８を尾錠金物５の裏側の壁１５に設けた横方向孔１９から浮かす（ピン体１の軸方向移動、図８ロ）。ついで、そのままの状態で９０°回転させＴ字形部２８を横方向孔１９に適合した位置から、縦方向孔１８に適合した位置とする（軸周りの回転、図８ハ）。すると、Ｔ字形部２８は縦方向孔１８を表側に通り抜け、これによりコイルばね２３と共に円筒スペーサー２５を通り抜け、ピン体２１の全体を尾錠金物５及びベルト２端部から抜き取ることができる。
【００１９】
ついで、尾錠金物５のスリット１３からベルト２の端部を引き抜き、尾錠金物５とベルト２を分離する。円筒スペーサー２５は、引き抜かれたベルト２端部の貫通孔３４に残るがこれを分離するのは簡単である。
なお、安全を期すためにコイルばね２３を強いものにすると、前記軸方向移動と軸周りの回転を指先だけで困難になるが、ドライバーやプライヤーなどの簡単な工具を利用することで、この場合であってもカシメ鋲による固定を解除することに比べればきわめて簡単に分離できるといえる。
【００２０】
以上、一つの実施例について説明した。
円筒スペーサー２５は、使用することが好ましいが、本願において必須ではない。
軸金２２の軸部２６と座金２４の抜け止め手段として軸部２６先端のカシメを利用しているが、他の抜け止め部材を溶接したり、ねじ止めしたりする手段も考えられる。
軸金２２のＴ字形部２８も２部材の結合によるものであってよい。
座金２４やＴ字形部２８の形態は、同じ係合・離脱できる機能があれば、図示した具体的構成に限定されない。
【符号の説明】
【００２１】
１  腰ベルト
２  ベルト
３  バックル
４  表面板
５  尾錠金物
６  ガイド部
７  挟持部
８  フック
９  軸支部
１０  挟持片
１１  カシメ鋲
１２  係合部
１３  スリット
１４  表側の壁
１５  裏側の壁
１６  係合バー
１７  縁底付き孔
１８  縦方向孔
１９  横方向孔
２０  十字形の孔・溝
２１  ピン体
２２  軸金
２３  コイルばね
２４  座金
２５  円筒スペーサー
２６  軸部
２７  係合部
２８  Ｔ字形部
２９  段部
３０  孔
３１  工具掛け部
３２  挿通孔
３３  縁底
３４  貫通孔
【図１】
2010270414.tif 000003
【図２】
2010270414.tif 000004
【図３】
2010270414.tif 000005
【図４】
2010270414.tif 000006
【図５】
2010270414.tif 000007
【図６】
2010270414.tif 000008
【図７】
2010270414.tif 000009
【図８】
2010270414.tif 000010